(57)【要約】【課題】等価直列抵抗が制御可能であると共に、信頼性の向上を図れる積層コンデンサを提供する。【解決手段】積層コンデンサ１は、素体２と、一対の外部電極３，４と、一対の接続導体５，６と、複数の内部電極と、を備え、複数の内部電極は、第１内部電極１０と、第２内部電極１２と、第３内部電極１４と、第４内部電極１６と、第５内部電極１８と、を含み、第３内部電極１４及び第４内部電極１６と第５内部電極１８とが、誘電体層７の積層方向において対向して配置されていることによって、２つのコンデンサ成分が直列に接続された構成を有しており、第１内部電極１０と第４内部電極１６とが積層方向において対向して配置されていないと共に、第２内部電極１２と第３内部電極１４とが積層方向において対向して配置されていない。【選択図】図２
2019149530.tif 000002
【特許請求の範囲】
【請求項１】
複数の誘電体層が積層されて形成されている素体と、
前記素体の外表面に配置されている一対の外部電極と、
前記素体に配置されている一対の接続導体と、
前記素体内に配置されている複数の内部電極と、を備え、
複数の前記内部電極は、
一方の前記外部電極と一方の前記接続導体とに接続されている第１内部電極と、
他方の前記外部電極と他方の前記接続導体とに接続されている第２内部電極と、
一方の前記接続導体に接続されている第３内部電極と、
他方の前記接続導体に接続されている第４内部電極と、
一対の前記外部電極及び一対の前記接続導体に接続されていない第５内部電極と、を含み、
前記第３内部電極及び前記第４内部電極と前記第５内部電極とが、前記誘電体層の積層方向において対向して配置されていることによって、２つのコンデンサ成分が直列に接続された構成を有しており、
前記第１内部電極と前記第４内部電極とが前記積層方向において対向して配置されていないと共に、前記第２内部電極と前記第３内部電極とが前記積層方向において対向して配置されていない、積層コンデンサ。
【請求項２】
前記第１内部電極と前記第２内部電極とは、同一の前記誘電体層に配置されている、請求項１に記載の積層コンデンサ。
【請求項３】
前記第１内部電極と前記第２内部電極とは、異なる前記誘電体層に配置されている、請求項１に記載の積層コンデンサ。
【請求項４】
前記第３内部電極と前記第４内部電極とは、前記積層方向において対向して配置されていない、請求項１〜３のいずれか一項に記載の積層コンデンサ。
【請求項５】
前記第１内部電極と前記第２内部電極とは、前記積層方向において対向して配置されていない、請求項１〜４のいずれか一項に記載の積層コンデンサ。
【発明の詳細な説明】
【技術分野】
【０００１】
本発明は、積層コンデンサに関する。
【背景技術】
【０００２】
従来の積層コンデンサとして、例えば、特許文献１に記載されているものが知られている。特許文献１に記載の積層コンデンサは、複数の誘電体層が積層された素体と、素体の外表面に配置された、第一及び第二端子電極並びに第一及び第二外部接続導体と、第一外部接続導体に接続されている第一内部電極と、第二外部接続導体に接続されている第二内部電極と、を有する静電容量部と、第一端子電極と第一外部接続導体とに接続されている第一内部接続導体と、第二端子電極と第二外部接続導体とに接続されている第二内部接続導体と、複数の誘電体層の積層方向において第一内部接続導体と第二内部接続導体との間に位置し且つ第一外部接続導体又は第二外部接続導体に接続されている第三内部電極と、をそれぞれ有すると共に、積層方向において静電容量部を間に挟むように互いに離れて配置された複数の等価直列抵抗制御部と、を備えている。
【先行技術文献】
【特許文献】
【０００３】
【特許文献１】特開２０１３−２３５９７５号公報
【発明の概要】
【発明が解決しようとする課題】
【０００４】
本発明の一側面は、等価直列抵抗が制御可能であると共に、信頼性の向上を図れる積層コンデンサを提供することを目的とする。
【課題を解決するための手段】
【０００５】
本発明の一側面に係る積層コンデンサは、複数の誘電体層が積層されて形成されている素体と、素体の外表面に配置されている一対の外部電極と、素体に配置されている一対の接続導体と、素体内に配置されている複数の内部電極と、を備え、複数の内部電極は、一方の外部電極と一方の接続導体とに接続されている第１内部電極と、他方の外部電極と他方の接続導体とに接続されている第２内部電極と、一方の接続導体に接続されている第３内部電極と、他方の接続導体に接続されている第４内部電極と、一対の外部電極及び一対の接続導体に接続されていない第５内部電極と、を含み、第３内部電極及び第４内部電極と第５内部電極とが、誘電体層の積層方向において対向して配置されていることによって、２つのコンデンサ成分が直列に接続された構成を有しており、第１内部電極と第４内部電極とが積層方向において対向して配置されていないと共に、第２内部電極と第３内部電極とが積層方向において対向して配置されていない。
【０００６】
本発明の一側面に係る積層コンデンサでは、第３内部電極及び第４内部電極と第５内部電極とが、誘電体層の積層方向において対向して配置されていることによって、２つのコンデンサ成分が直列に接続された構成を有している。また、第１内部電極と第４内部電極とが対向して配置されていないと共に、第２内部電極と第３内部電極とが対向して配置されていない。そのため、積層コンデンサでは、一方の極性と他方の極性との間の経路（最短経路）において、２つのコンデンサ成分が電気的に直列に接続されている構成とすることができる。この構成により、積層コンデンサでは、一方のコンデンサ成分に不具合が生じた場合であっても、他方のコンデンサ成分が正常に機能する。したがって、積層コンデンサでは、フェイルセーフの構造が採用されているため、信頼性の向上が図れる。積層コンデンサでは、第１内部電極及び第２内部電極は、等価直列抵抗（以下、ＥＳＲ：Equivalent  Series  Resistance）を構成している。積層コンデンサでは、第１内部電極及び第２内部電極の構造及び／又は積層数を変えることにより、ＥＳＲを制御できる。
【０００７】
一実施形態においては、第１内部電極と第２内部電極とは、同一の誘電体層に配置されていてもよい。この構成では、２つのコンデンサ成分が直列に接続されている構成を実現しつつ、素体において誘電体層の積層数を少なくすることができる。したがって、積層コンデンサの低背化を図ることができる。
【０００８】
一実施形態においては、第１内部電極と第２内部電極とは、異なる誘電体層に配置されていてもよい。この構成では、第１内部電極及び第２内部電極のそれぞれにおいて、電極形状の設計の自由度が高まる。そのため、積層コンデンサでは、ＥＳＲを制御することができる。
【０００９】
一実施形態においては、第３内部電極と第４内部電極とは、積層方向において対向して配置されていなくてもよい。この構成では、一方の極性に接続される第３内部電極と他方の極性に接続される第４内部電極とが対向しないため、第３内部電極と第４内部電極とによるコンデンサ成分が形成されない。したがって、積層コンデンサでは、２つのコンデンサ成分が電気的に直列に接続される構造を確実に実現できる。
【００１０】
一実施形態においては、第１内部電極と第２内部電極とは、積層方向において対向して配置されていなくてもよい。この構成では、一方の極性に接続される第１内部電極と他方の極性に接続される第２内部電極とが対向しないため、第１内部電極と第２内部電極によるコンデンサ成分が形成されない。したがって、積層コンデンサでは、２つのコンデンサ成分が電気的に直列に接続される構造を確実に実現できる。
【発明の効果】
【００１１】
本発明の一側面によれば、ＥＳＲが制御可能であると共に、信頼性の向上を図れる。
【図面の簡単な説明】
【００１２】
【図１】図１は、第１実施形態に係る積層コンデンサの実装構造を示す斜視図である。
【図２】図２は、素体の分解斜視図である。
【図３】図３（ａ）は、第１内部電極を示す図であり、図３（ｂ）は、第２内部電極を示す図である。
【図４】図４（ａ）は、第３内部電極世及び第４内部電極を示す図であり、図４（ｂ）は、第５内部電極を示す図である。
【図５】図５は、図１に示す積層コンデンサの回路構成を示す図である。
【図６】図６は、第２実施形態に係る積層コンデンサの素体の分解斜視図である。
【図７】図７は、図６に示す積層コンデンサの回路構成を示す図である。
【図８】図８は、第３実施形態に係る積層コンデンサの素体の分解斜視図である。
【図９】図９は、図８に示される積層コンデンサの回路構成を示す図である。
【図１０】図１０は、第４実施形態に係る積層コンデンサの素体の分解斜視図である。
【図１１】図１１は、図１０に示す積層コンデンサの回路構成を示す図である。
【図１２】図１２は、第５実施形態に係る積層コンデンサの素体の分解斜視図である。
【図１３】図１３（ａ）は、図１２に示される素体に配置されている第１内部電極を示す図であり、図１３（ｂ）は、図１２に示される素体に配置されている第２内部電極を示す図である。
【図１４】図１４は、図１２に示す積層コンデンサの回路構成を示す図である。
【発明を実施するための形態】
【００１３】
以下、添付図面を参照して、本発明の好適な実施形態について詳細に説明する。なお、図面の説明において同一又は相当要素には同一符号を付し、重複する説明は省略する。
【００１４】
［第１実施形態］
図１に示されるように、第１実施形態に係る積層コンデンサ１は、素体２と、素体２の外表面に配置されている第１外部電極３、第２外部電極４と、素体２の外表面に配置されている第１接続導体５及び第２接続導体６と、を備えている。
【００１５】
素体２は、直方体形状を呈している。直方体形状には、角部及び稜線部が面取りされている直方体の形状、及び、角部及び稜線部が丸められている直方体の形状が含まれる。素体２は、その外表面として、互いに対向している一対の端面２ａ，２ｂと、互いに対向している一対の主面２ｃ，２ｄと、互いに対向している一対の側面２ｅ，２ｆと、を有している。一対の主面２ｃ，２ｄが対向している対向方向が第１方向Ｄ１である。一対の端面２ａ，２ｂが対向している対向方向が第２方向Ｄ２である。一対の側面２ｅ，２ｆが対向している対向方向が第３方向Ｄ３である。本実施形態では、第１方向Ｄ１は、素体２の高さ方向である。第２方向Ｄ２は、素体２の長手方向であり、第１方向Ｄ１と直交している。第３方向Ｄ３は、素体２の幅方向であり、第１方向Ｄ１と第２方向Ｄ２とに直交している。
【００１６】
一対の端面２ａ，２ｂは、一対の主面２ｃ，２ｄの間を連結するように第１方向Ｄ１に延びている。一対の端面２ａ，２ｂは、第３方向Ｄ３（一対の主面２ｃ，２ｄの短辺方向）にも延びている。一対の側面２ｅ，２ｆは、一対の主面２ｃ，２ｄの間を連結するように第１方向Ｄ１に延びている。一対の側面２ｅ，２ｆは、第２方向Ｄ２（一対の端面２ａ，２ｂの長辺方向）にも延びている。本実施形態では、主面２ｄは、積層コンデンサ１を他の電子機器（例えば、回路基板、又は、電子部品など）に実装する際、他の電子機器と対向する実装面として規定される。
【００１７】
図２に示されるように、素体２は、一対の主面２ｃ，２ｄが対向している方向に複数の誘電体層７が積層されて構成されている。素体２では、複数の誘電体層７の積層方向（以下、単に「積層方向」と称する。）が第１方向Ｄ１と一致する。各誘電体層７は、例えば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各誘電体層７は、各誘電体層７の間の境界が視認できない程度に一体化されている。
【００１８】
積層コンデンサ１は、素体２内に配置されている内部導体として、第１内部電極１０と、第２内部電極１２と、第３内部電極１４と、第４内部電極１６と、第５内部電極１８と、を備えている。
【００１９】
第１内部電極１０、第２内部電極１２、第３内部電極１４、第４内部電極１６及び第５内部電極１８は、積層型の電気素子の内部電極として通常用いられる導電性材料（例えば、Ｎｉ又はＣｕなど）からなる。第１内部電極１０、第２内部電極１２、第３内部電極１４、第４内部電極１６及び第５内部電極１８は、上記導電性材料を含む導電性ペーストの焼結体として構成される。
【００２０】
第１内部電極１０と、第２内部電極１２と、第３内部電極１４及び第４内部電極１６と、第５内部電極１８とは、素体２の第１方向Ｄ１において異なる位置（層）に配置されている。第３内部電極１４と第４内部電極１６とは、素体２内において、同じ位置（層）に配置されている。
【００２１】
図３（ａ）に示されるように、第１内部電極１０は、主電極部１０ａと、第１接続部１０ｂと、第２接続部１０ｃと、第３接続部１０ｄと、を有している。主電極部１０ａは、第２方向Ｄ２が長辺方向であると共に第３方向Ｄ３が短辺方向である矩形形状を呈している。第１接続部１０ｂは、第３方向Ｄ３が長辺方向であると共に第２方向Ｄ２が短辺方向である矩形形状を呈している。第１接続部１０ｂは、一方の端面２ａに露出している。第２接続部１０ｃは、主電極部１０ａの一辺（一方の長辺）から延び、一方の側面２ｅに露出している。第３接続部１０ｄは、主電極部１０ａの一辺（一方の短辺）と第１接続部１０ｂの一辺（一方の長辺）とを接続している。第１内部電極１０は、一方の端面２ａに露出した第１接続部１０ｂが第１外部電極３に接合されていると共に、一方の側面２ｅに露出した第２接続部１０ｃが第１接続導体５に接合されている。第１内部電極は、第１外部電極３及び第１接続導体５に電気的に接続されている。
【００２２】
図３（ｂ）に示されるように、第２内部電極１２は、主電極部１２ａと、第１接続部１２ｂと、第２接続部１２ｃと、第３接続部１２ｄと、を有している。主電極部１２ａは、第２方向Ｄ２が長辺方向であると共に第３方向Ｄ３が短辺方向である矩形形状を呈している。第１接続部１２ｂは、第３方向Ｄ３が長辺方向であると共に第２方向Ｄ２が短辺方向である矩形形状を呈している。第１接続部１２ｂは、他方の端面２ｂに露出している。第２接続部１２ｃは、主電極部１２ａの一辺（一方の長辺）から延び、他方の側面２ｆに露出している。第３接続部１２ｄは、主電極部１２ａの一辺（一方の短辺）と第１接続部１２ｂの一辺（一方の長辺）とを接続している。第２内部電極１２は、他方の端面２ｂに露出した第１接続部１２ｂが第２外部電極４に接合されていると共に、他方の側面２ｆに露出した第２接続部１２ｃが第２接続導体６に接合されている。第２内部電極１２は、第２外部電極４及び第２接続導体６に電気的に接続されている。
【００２３】
図４（ａ）に示されるように、第３内部電極１４は、主電極部１４ａと、接続部１４ｂと、を有している。主電極部１４ａは、第２方向Ｄ２が長辺方向であると共に第３方向Ｄ３が短辺方向である矩形形状を呈している。接続部１４ｂは、主電極部１４ａの一辺（一方の長辺）から延び、一方の側面２ｅに露出している。第３内部電極１４は、一方の側面２ｅに露出した接続部１４ｂが第１接続導体５に接合されている。第３内部電極１４は、第１接続導体５に電気的に接続されている。
【００２４】
第４内部電極１６は、主電極部１６ａと、接続部１６ｂと、を有している。主電極部１６ａは、第２方向Ｄ２が長辺方向であると共に第３方向Ｄ３が短辺方向である矩形形状を呈している。接続部１６ｂは、主電極部１６ａの一辺（一方の長辺）から延び、他方の側面２ｆに露出している。第４内部電極１６は、他方の側面２ｆに露出した接続部１６ｂが第２接続導体６に接合されている。第４内部電極１６は、第２接続導体６に電気的に接続されている。第３内部電極１４と第４内部電極１６とは、同一の誘電体層７において、第３方向Ｄ３で所定の間隔をあけて配置されている。
【００２５】
第５内部電極１８は、第２方向Ｄ２が長辺方向であると共に第３方向Ｄ３が短辺方向である矩形形状を呈している。第５内部電極１８は、第１外部電極３、第２外部電極４、第１接続導体５及び第２接続導体６のいずれにも接合されていない。
【００２６】
図１に示されるように、第１外部電極３は、一方の端面２ａ側に配置されている。本実施形態では、第１外部電極３は、１つの端面２ａ、一対の主面２ｃ，２ｄ、及び一対の側面２ｅ，２ｆの五面に形成されている。第１外部電極３は、第１内部電極１０に接合されており、第１内部電極１０に電気的に接続されている。
【００２７】
第２外部電極４は、他方の端面２ｂ側に配置されている。本実施形態では、第２外部電極４は、１つの端面２ｂ、一対の主面２ｃ，２ｄ、及び一対の側面２ｅ，２ｆの五面に形成されている。第２外部電極４は、第２内部電極１２に接合されており、第２内部電極１２に電気的に接続されている。
【００２８】
第１接続導体５は、一方の側面２ｅ側において、第２方向Ｄ２での中央部分に配置されている。本実施形態では、第１接続導体５は、一対の主面２ｃ，２ｄ及び一つの側面２ｅの三面に形成されている。第１接続導体５は、第１内部電極１０及び第３内部電極１４に接合されており、第１内部電極１０及び第３内部電極１４に電気的に接続されている。すなわち、第１内部電極１０及び第３内部電極１４とは、第１接続導体５を介して電気的に接続されている。
【００２９】
第２接続導体６は、他方の側面２ｆ側において、第２方向Ｄ２での中央部分に配置されている。第２接続導体６は、一対の主面２ｃ，２ｄ及び一つの側面２ｆの三面に形成されている。第２接続導体６は、第２内部電極１２及び第４内部電極１６に接合されており、第２内部電極１２及び第４内部電極１６に電気的に接続されている。すなわち、第２内部電極１２と第４内部電極１６とは、第２接続導体６を介して電気的に接続されている。
【００３０】
第１外部電極３、第２外部電極４、第１接続導体５及び第２接続導体６は、導電材（例えば、Ａｇ又はＰｄなど）を含んでいる。第１外部電極３、第２外部電極４、第１接続導体５及び第２接続導体６は、導電性材料（例えば、Ａｇ粉末又はＰｄ粉末など）を含む導電性ペーストの焼結体として構成される。第１外部電極３、第２外部電極４、第１接続導体５及び第２接続導体６の表面にはめっき層が形成されている。めっき層は、例えば電気めっきにより形成される。めっき層は、Ｃｕめっき層、Ｎｉめっき層、及びＳｎめっき層からなる層構造、又は、Ｎｉめっき層及びＳｎめっき層からなる層構造などを有する。
【００３１】
本実施形態では、第１内部電極１０は、素体２の第１方向Ｄ１において、一方の主面２ｃ側に配置されている。第２内部電極１２は、素体２の第１方向Ｄ１において、他方の主面２ｄ側に配置されている。第３内部電極１４、第４内部電極１６及び第５内部電極１８は、第１内部電極１０と第２内部電極１２との間に配置されている。第３内部電極１４及び第４内部電極１６は、第５内部電極１８の間に配置されている。すなわち、素体２内においては、一方の主面２ｃ側から他方の主面２ｄ側に向かって、第１内部電極１０、第５内部電極１８、第３内部電極１４及び第４内部電極１６、第５内部電極１８及び第２内部電極１２の順番で配置されている。
【００３２】
積層コンデンサ１では、第３内部電極１４及び第４内部電極１６と第５内部電極１８とは、誘電体層７を介して対向して配置されている。第１内部電極１０の主電極部１０ａと第５内部電極１８とは、誘電体層７を介して対向して配置されている。第２内部電極１２の主電極部１２ａと第５内部電極１８とは、誘電体層７を介して対向して配置されている。
【００３３】
積層コンデンサ１では、第１内部電極１０と第４内部電極１６とは、第１方向Ｄ１（積層方向）において対向して配置されていない。すなわち、一方の極性に電気的に接続される第１内部電極１０と、他方の極性に電気的に接続される第４内部電極１６とが、第１方向Ｄ１から見て重なっていない。積層コンデンサ１では、第２内部電極１２と第３内部電極１４とは、第１方向Ｄ１において対向して配置されていない。すなわち、他方の極性に電気的に接続される第２内部電極１２と、一方の極性に電気的に接続される第３内部電極１４とが、第１方向Ｄ１から見て重なっていない。
【００３４】
積層コンデンサ１では、第１内部電極１０と第３内部電極１４とは、第１方向Ｄ１において対向して配置されている。具体的には、第１内部電極１０の主電極部１０ａと第３内部電極１４の主電極部１４ａとが対向している。すなわち、一方の極性に電気的に接続される第１内部電極１０と、一方の極性に電気的に接続される第３内部電極１４とが、第１方向Ｄ１から見て重なっている。積層コンデンサ１では、第２内部電極１２と第４内部電極１６と、第１方向Ｄ１において対向して配置されている。具体的には、第２内部電極１２の主電極部１２ａと第４内部電極１６の主電極部１６ａとが対向している。すなわち、他方の極性に電気的に接続される第２内部電極１２と、他方の極性に電気的に接続される第４内部電極１６とが、第１方向Ｄ１から見て重なっている。
【００３５】
積層コンデンサ１では、第３内部電極１４と第５内部電極１８とにより、コンデンサ成分が形成されており、第４内部電極１６と第５内部電極１８とにより、コンデンサ成分が形成されている。本実施形態では、第１内部電極１０と第５内部電極１８とにより、実質的にコンデンサ成分が形成されており、第２内部電極１２と第５内部電極１８とにより、実質的にコンデンサ成分が形成されている。第１内部電極１０及び第２内部電極１２は、ＥＳＲ（等価直列抵抗：Equivalent  Series  Resistance）制御部として機能する。
【００３６】
図１に示されるように、積層コンデンサ１の実装構造１００では、積層コンデンサ１は、主面２ｄを実装面として電子機器に実装する。素体２の主面２ｄが回路基板Ｓと対向するように積層コンデンサ１を実装する場合、第１外部電極３及び第２外部電極４を、回路基板Ｓ上に配置されたランド電極Ｌ１，Ｌ２に接続する。具体的には、第１外部電極３は、ランド電極Ｌ１に接続され、第２外部電極４は、ランド電極Ｌ２に接続される。第１接続導体５及び第２接続導体６は、回路基板Ｓ上に配置されたランド電極には接続されない。
【００３７】
ランド電極Ｌ１，Ｌ２は、回路基板Ｓに形成された配線に接続されている。具体的には、ランド電極Ｌ１は、一方の極性（例えば正極）に接続された配線と電気的に接続されている。ランド電極Ｌ２は、他方の極性（例えば負極）に接続された配線と電気的に接続されている。実装構造１００では、第１外部電極３及び第２外部電極４のみが配線と電気的に接続されることとなり、第１接続導体５及び第２接続導体６は配線と電気的に接続されていない。第１接続導体５及び第２接続導体６は、配線と電気的に絶縁されているランド電極であれば、当該ランド電極に接続されていてもよい。
【００３８】
回路基板Ｓに実装された積層コンデンサ１では、図５に示されるように、２つのコンデンサ成分が電気的に直列に接続された構成を有している。具体的には、第３内部電極１４と第５内部電極１８とにより形成されるコンデンサ成分と、第４内部電極１６と第５内部電極１８とにより形成されるコンデンサ成分とが、電気的に直列に接続されている。なお、図５では、「黒丸」は一方の極性（例えば「正極」）に接続されることを示し、「白丸」は他方の極性（例えば「負極」）に接続されることを示している。
【００３９】
以上説明したように、本実施形態に係る積層コンデンサ１では、第３内部電極１４及び第４内部電極１６と第５内部電極１８とが、第１方向Ｄ１（積層方向）において対向して配置されていることによって、２つのコンデンサ成分が直列に接続された構成を有している。また、積層コンデンサ１では、第１内部電極１０と第４内部電極１６とが対向して配置されていないと共に、第２内部電極１２と第３内部電極１４とが対向して配置されていない。そのため、積層コンデンサ１では、一方の極性と他方の極性との間の経路（最短経路）において、２つのコンデンサ成分が電気的に直列に接続されている構成とすることができる。この構成により、積層コンデンサ１では、一方のコンデンサ成分に不具合が生じた場合であっても、他方のコンデンサ成分が正常に機能する。したがって、積層コンデンサ１では、フェイルセーフの構造が採用されているため、信頼性の向上が図れる。
【００４０】
本実施形態に係る積層コンデンサ１では、第１内部電極１０及び第２内部電極１２は、ＥＳＲを構成している。積層コンデンサ１では、第１内部電極１０及び第２内部電極１２の構造及び／又は積層数を変えることにより、ＥＳＲを制御できる。
【００４１】
本実施形態に係る積層コンデンサ１では、第１内部電極１０と第２内部電極１２とは、異なる誘電体層７に配置されている。この構成では、第１内部電極１０及び第２内部電極１２のそれぞれにおいて、電極形状の設計の自由度が高まる。そのため、積層コンデンサ１では、ＥＳＲを制御することができる。
【００４２】
本実施形態に係る積層コンデンサ１では、第３内部電極１４と第４内部電極１６とは、第１方向Ｄ１において対向して配置されていない。この構成では、一方の極性に接続される第３内部電極１４と他方の極性に接続される第４内部電極１６とが対向しないため、第３内部電極１４と第４内部電極１６とによるコンデンサ成分が形成されない。したがって、積層コンデンサ１では、２つのコンデンサ成分が電気的に直列に接続される構造を確実に実現できる。
【００４３】
本実施形態に係る積層コンデンサ１では、第１内部電極１０と第２内部電極１２とは、第１方向Ｄ１において対向して配置されていない。この構成では、一方の極性に接続される第１内部電極１０と他方の極性に接続される第２内部電極１２とが対向しないため、第１内部電極１０と第２内部電極１２とによるコンデンサ成分が形成されない。したがって、積層コンデンサ１では、２つのコンデンサ成分が電気的に直列に接続される構造を確実に実現できる。
【００４４】
［第２実施形態］
続いて、第２実施形態について説明する。図６に示されるように、第２実施形態に係る積層コンデンサ１Ａは、素体２Ａ内に配置されている内部導体として、第１内部電極１０と、第２内部電極１２と、第３内部電極１４と、第４内部電極１６と、第５内部電極１８と、を備えている。
【００４５】
積層コンデンサ１Ａでは、一方の主面２ｃから他方の主面２ｄに向かって、第３内部電極１４及び第４内部電極１６、第５内部電極１８、第１内部電極１０、第５内部電極１８、第２内部電極１２、第５内部電極１８、及び、第３内部電極１４及び第４内部電極１６の順番で配置されている。
【００４６】
積層コンデンサ１Ａでは、図７に示されるように、２つのコンデンサ成分が電気的に直列に接続された構成を有している。具体的には、第３内部電極１４と第５内部電極１８とにより形成されるコンデンサ成分と、第４内部電極１６と第５内部電極１８とにより形成されるコンデンサ成分とが、電気的に直列に接続されている。
【００４７】
以上説明したように、本実施形態に係る積層コンデンサ１Ａにおいても、ＥＳＲが制御可能であると共に、信頼性の向上を図れる。
【００４８】
［第３実施形態］
続いて、第３実施形態について説明する。図８に示されるように、第３実施形態に係る積層コンデンサ１Ｂは、素体２Ｂ内に配置されている内部導体として、第１内部電極１０と、第２内部電極１２と、第３内部電極１４と、第４内部電極１６と、第５内部電極１８と、を備えている。
【００４９】
積層コンデンサ１Ｂでは、一方の主面２ｃから他方の主面２ｄに向かって、第１内部電極１０、第３内部電極１４及び第４内部電極１６、第５内部電極１８、第３内部電極１４及び第４内部電極１６、第５内部電極１８、第３内部電極１４及び第４内部電極１６、及び、第２内部電極１２の順番で配置されている。
【００５０】
積層コンデンサ１Ｂでは、図９に示されるように、２つのコンデンサ成分が電気的に直列に接続された構成を有している。具体的には、第３内部電極１４と第５内部電極１８とにより形成されるコンデンサ成分と、第４内部電極１６と第５内部電極１８とにより形成されるコンデンサ成分とが、電気的に直列に接続されている。
【００５１】
以上説明したように、本実施形態に係る積層コンデンサ１Ｂにおいても、ＥＳＲが制御可能であると共に、信頼性の向上を図れる。
【００５２】
［第４実施形態］
続いて、第４実施形態について説明する。図１０に示されるように、第４実施形態に係る積層コンデンサ１Ｃは、素体２Ｃ内に配置されている内部導体として、第１内部電極１０と、第２内部電極１２と、第３内部電極１４と、第４内部電極１６と、第５内部電極１８と、を備えている。
【００５３】
図１０に示されるように、第１内部電極１０と第２内部電極１２とは、同一の誘電体層７に配置されている。積層コンデンサ１Ｃでは、一方の主面２ｃから他方の主面２ｄに向かって、第１内部電極１０及び第２内部電極１２、第５内部電極１８、第３内部電極１４及び第４内部電極１６、第５内部電極１８、第３内部電極１４及び第４内部電極１６、第５内部電極１８、第３内部電極１４及び第４内部電極１６、第５内部電極１８、第３内部電極１４及び第４内部電極１６、第５内部電極１８、及び、第１内部電極１０及び第２内部電極１２の順番で配置されている。
【００５４】
積層コンデンサ１Ｃでは、図１１に示されるように、２つのコンデンサ成分が電気的に直列に接続された構成を有している。具体的には、第３内部電極１４と第５内部電極１８とにより形成されるコンデンサ成分と、第４内部電極１６と第５内部電極１８とにより形成されるコンデンサ成分とが、電気的に直列に接続されている。
【００５５】
以上説明したように、本実施形態に係る積層コンデンサ１Ｃにおいても、ＥＳＲが制御可能であると共に、信頼性の向上を図れる。
【００５６】
本実施形態に係る積層コンデンサ１Ｃでは、第１内部電極１０と第２内部電極１２とは、同一の誘電体層７に配置されている。この構成では、２つのコンデンサ成分が直列に接続されている構成を実現しつつ、素体２において誘電体層７の積層数を少なくすることができる。したがって、積層コンデンサ１Ｃの低背化を図ることができる。
【００５７】
［第５実施形態］
続いて、第５実施形態について説明する。図１２に示されるように、積層コンデンサ１Ｄは、素体２Ｄ内に配置されている内部導体として、第１内部電極２０と、第２内部電極２２と、第３内部電極１４と、第４内部電極１６と、第５内部電極１８と、を備えている。
【００５８】
図１３（ａ）に示されるように、第１内部電極２０は、主電極部２０ａと、第１接続部２０ｂと、第２接続部２０ｃと、を有している。主電極部２０ａは、第２方向Ｄ２に延在する帯状の第１部分と、第１部分の端面２ｂ側の端部から側面２ｅ側に向かって第３方向Ｄ３に沿って延在する帯状の第２部分と、第２部分の側面２ｅ側の端部から端面２ａ側に向かって第２方向Ｄ２に沿って延在する帯状の第３部分と、を有している。
【００５９】
第１接続部２０ｂは、主電極部２０ａの第１部分の端面２ａ側の端部から延び、一方の端面２ａに露出している。第２接続部２０ｃは、主電極部２０ａの第３部分から延び、一方の側面２ｅに露出している。第１内部電極２０は、一方の端面２ａに露出した第１接続部２０ｂが第１外部電極３に接合されていると共に、一方の側面２ｅに露出した第２接続部２０ｃが第１接続導体５に接合されている。第１内部電極２０は、第１外部電極３及び第１接続導体５に電気的に接続されている。
【００６０】
図１３（ｂ）に示されるように、第２内部電極２２は、主電極部２２ａと、第１接続部２２ｂと、第２接続部２２ｃと、を有している。主電極部２２ａは、第２方向Ｄ２に延在する帯状の第１部分と、第１部分の端面２ａ側の端部から側面２ｆ側に向かって第３方向Ｄ３に沿って延在する帯状の第２部分と、第２部分の側面２ｆ側の端部から端面２ｂ側に向かって第２方向Ｄ２に沿って延在する帯状の第３部分と、を有している。
【００６１】
第１接続部２２ｂは、主電極部２２ａの第１部分の端面２ｂ側の端部から延び、他方の端面２ｂに露出している。第２接続部２２ｃは、主電極部２２ａの第３部分から延び、他方の側面２ｆに露出している。第２内部電極２２は、他方の端面２ｂに露出した第１接続部２２ｂが第２外部電極４に接合されていると共に、他方の側面２ｆに露出した第２接続部２２ｃが第２接続導体６に接合されている。第２内部電極２２は、第２外部電極４及び第２接続導体６に電気的に接続されている。
【００６２】
図１２に示されるように、積層コンデンサ１Ｄでは、一方の主面２ｃから他方の主面２ｄに向かって、第１内部電極２０、第１内部電極２０、第５内部電極１８、第３内部電極１４及び第４内部電極１６、第５内部電極１８、第３内部電極１４及び第４内部電極１６、第５内部電極１８、第３内部電極１４及び第４内部電極１６、第５内部電極１８、第３内部電極１４及び第４内部電極１６、第５内部電極１８、及び、第２内部電極２２の順番で配置されている。
【００６３】
積層コンデンサ１Ｄでは、図１４に示されるように、２つのコンデンサ成分が電気的に直列に接続された構成を有している。具体的には、第３内部電極１４と第５内部電極１８とにより形成されるコンデンサ成分と、第４内部電極１６と第５内部電極１８とにより形成されるコンデンサ成分とが、電気的に直列に接続されている。
【００６４】
以上説明したように、本実施形態に係る積層コンデンサ１Ｄにおいても、ＥＳＲが制御可能であると共に、信頼性の向上を図れる。
【００６５】
本実施形態に係る積層コンデンサ１Ｄでは、第１内部電極２０は、帯状の３つの部分を有する主電極部２０ａを有しており、第２内部電極２２は、帯状の３つの部分を有する主電極部２２ａを有している。この構成により、第１内部電極２０及び第２内部電極２２では、長さ（線路長）が確保されている。これにより、積層コンデンサ１Ｄでは、ＥＳＲを高くすることができる。このように、積層コンデンサ１Ｄでは、第１内部電極２０と第２内部電極２２とを異なる誘電体層７に配置することにより、電極形状の設計の自由度が高めることができ、ＥＳＲを制御することができる。
【００６６】
ＥＳＲは、第１内部電極２０及び第２内部電極２２の形状、及び／又は、第１内部電極２０及び第２内部電極２２の積層数を変更することにより制御することができる。例えば、第１内部電極２０及び第２内部電極２２を細長くすることにより、ＥＳＲを大きくすることができる。また、第１内部電極２０及び第２内部電極２２の積層数を多くすることにより、ＥＳＲを小さくすることができる。
【００６７】
以上、本発明の実施形態について説明してきたが、本発明は必ずしも上述した実施形態に限定されるものではなく、その要旨を逸脱しない範囲で様々な変更が可能である。
【００６８】
上記実施形態では、第３内部電極１４と第４内部電極１６とが、同一の誘電体層７に配置されている形態を一例に説明した。しかし、第３内部電極１４と第４内部電極１６とは、異なる誘電体層７に配置されていてもよい。
【００６９】
上記実施形態において、第１内部電極１０（２０）、第２内部電極１２（２２）、第３内部電極１４、第４内部電極１６、及び、第５内部電極１８の積層数及び形状は、設計に応じて適宜設定されればよい。第１内部電極１０（２０）及び／又は第２内部電極１２（２２）の積層数は、第３内部電極１４、第４内部電極１６及び第５内部電極１８の積層数に対して少なくてもよい。この構成では、積層コンデンサの静電容量を大きくしつつ、ＥＳＲを大きく（制御）できる。
【００７０】
上記実施形態では、第１外部電極３が、一方の端面２ａ、一対の主面２ｃ，２ｄの一部、及び、一対の側面２ｅ，２ｆの一部に配置されている形態を一例に説明した。しかし、第１外部電極３は、少なくとも端面２ａに配置されていればよい。同様に、第２外部電極４は、少なくとも端面２ｂに配置されていればよい。
【００７１】
上記実施形態では、第１接続導体５及び第２接続導体６が、素体２の外表面に配置されている形態を一例に説明した。しかし、第１接続導体及び第２接続導体は、素体２内に配置されていてもよい。例えば、第１接続導体及び第２接続導体は、スルーホール導体等であってもよい。
【符号の説明】
【００７２】
１，１Ａ〜１Ｄ…積層コンデンサ、２，２Ａ〜２Ｄ…素体、３…第１外部電極、４…第２外部電極、５…第１接続導体、６…第２接続導体、７…誘電体層、１０，２０…第１内部電極、１２，２２…第２内部電極、１４…第３内部電極、１６…第４内部電極、１８…第５内部電極。
【図１】
2019149530.tif 000003
【図２】
2019149530.tif 000004
【図３】
2019149530.tif 000005
【図４】
2019149530.tif 000006
【図５】
2019149530.tif 000007
【図６】
2019149530.tif 000008
【図７】
2019149530.tif 000009
【図８】
2019149530.tif 000010
【図９】
2019149530.tif 000011
【図１０】
2019149530.tif 000012
【図１１】
2019149530.tif 000013
【図１２】
2019149530.tif 000014
【図１３】
2019149530.tif 000015
【図１４】
2019149530.tif 000016